(57)【要約】    【課題】  複数枚の光ディスクから読み出された情報を保有する装置であって、安価な構成でありながらも、ユーザが現在再生中の情報に対応する光ディスクを簡易かつ正確に把握し、さらには特定の光ディスクに記憶されていた情報をＨＤＤ内から短時間かつ正確に選択することができるような光情報再生装置を提供すること。    【解決手段】  光情報再生装置は、光ディスクをローディングし、または排出するローディング機構と、ローディング機構による光ディスクのローディング時に、該光ディスクのレーベル面を画像データとして読み取る読み取り手段と、光ディスクに記録された情報を取得する情報取得手段と、複数の情報を格納する記憶手段と、情報取得手段によって取得した情報と画像データを関連づけて記憶手段に書き込む書き込み手段と、を有する構成にした。【選択図】      図１ 
2005285246.tif 000002
【特許請求の範囲】
【請求項１】
光ディスクをローディングし、または排出するローディング機構と、
前記ローディング機構による前記光ディスクのローディング時に、該光ディスクのレーベル面を画像データとして読み取る読み取り手段と、
前記光ディスクに記録された情報を取得する情報取得手段と、
複数の情報を格納する記憶手段と、
前記情報取得手段によって取得した前記情報と前記画像データを関連づけて前記記憶手段に書き込む書き込み手段と、を有することを特徴とする光情報再生装置。
【請求項２】
請求項１に記載の光情報再生装置において、
前記記憶手段から読み出した情報を再生する再生手段と、
少なくとも再生状態にある情報と関連づけられた画像データを表示する表示手段と、を有することを特徴とする光情報再生装置。
【請求項３】
請求項２に記載の光情報再生装置は、
再生対象となる情報を選択するための操作手段を有し、
前記表示手段は、前記操作手段によって前記記憶手段内に格納されている情報のうちいずれかが選択されている間は、選択されている情報と関連づけられた画像データを表示することを特徴とする光情報再生装置。
【請求項４】
光ディスクをローディングし、または排出するローディング機構と、
前記ローディング機構による前記光ディスクのローディング時に、該光ディスクのレーベル面を画像データとして読み取る読み取り手段と、
前記光ディスクに記録された情報を再生する再生手段と、
前記画像データを表示する表示手段と、を有することを特徴とする光情報再生装置。
【請求項５】
請求項１から請求項４のいずれかに記載の光情報再生装置において、
前記ローディング機構は、スロットローディング方式を採用していることを特徴とする光情報再生装置。
【請求項６】
前記読み取り手段は、前記光ディスクの径以上の読み取り範囲を有し、前記光ディスクがローディングされる方向と直交する方向に沿って配設されるラインセンサを有することを特徴とする請求項１から請求項５のいずれかに記載の光情報再生装置。
【請求項７】
請求項１から請求項６のいずれかに記載の光情報再生装置において、
前記ローディング機構における前記光ディスクのローディング動作の速度変化に起因する前記画像データの歪みをなくすように補正処理を行う画像処理手段を有することを特徴とする光情報再生装置。
【請求項８】
請求項１から請求項７のいずれかに記載の光情報再生装置において、
前記光ディスクの形状に基づいて前記画像データを補正処理する画像処理手段を有することを特徴とする光情報再生装置。
【発明の詳細な説明】
【技術分野】
【０００１】
この発明は、ＣＤ（コンパクトディスク）やＤＶＤ（デジタルバーサタイルディスク）に例示される光ディスクに情報を記録または再生するための光情報再生装置に関する。
【背景技術】
【０００２】
近年、ＣＤ等の光ディスクに格納されたデジタルデータ（例えば音楽情報）を再生するだけでなく、該再生中の音楽情報を圧縮して、装置内に配設されたＨＤＤ（ハードディスクドライブ）に記憶するＨＤＤ内蔵型光情報再生装置が実用化されている。なお、本文において、光情報再生装置と記した場合には、情報の再生専用装置だけでなく情報の記録および再生兼用装置も含むものとする。
【０００３】
ＨＤＤ内蔵型光情報再生装置では、圧縮技術の急速な発達とＨＤＤの高密度化に伴い、大量の情報が該ＨＤＤに記憶可能となりつつある。例えば、ＣＤ数百枚分に相当する音楽情報も単一のＨＤＤに保管可能である。これにより、複数の光ディスクの交換といった手間をかけることなく、ＨＤＤに記憶された多くの情報を任意のタイミングで再生することができる。従って上記のような光情報再生装置は、大量の光情報記録媒体を持ち込むことが困難かつ不便である狭い空間を持つ車両に搭載される装置として好適である。
【０００４】
しかし、上記のような光情報再生装置では、ＨＤＤに保存される情報の量、換言すれば情報を読み出した光ディスクの枚数が増えるほど、ユーザにとって、現在再生中の情報がいずれの光ディスクから読み出したものであるかを簡易かつ迅速に把握することが困難になりつつある。
【０００５】
上記の問題は、狭く限定された空間である車内では、装置を操作するスペースや操作に必要なデータを表示するスペースが限定されてしまうため、より顕著に表れる。
【０００６】
上記のような背景に鑑み、特許文献１には、ネットワークの回線を介して再生しようとする光ディスク等の記録媒体に関するデータを取得して表示部に表示する通信機能付き記録媒体再生装置が提案されている。
【０００７】
【特許文献１】特開２０００−２１５６５３号公報
【０００８】
しかし、特許文献１の構成では、通信機能が必須要素とされているため、通信機能が動作しない環境下にあっては光ディスクに関するデータの取得という効果を得られない。また、通信回線を使用するため、光ディスクに関するデータとして容量が大きい画像データを扱うことは実現性に乏しく、テキストデータを使用することになる。そのため、限られたスペースの表示部に光ディスクの識別に必要十分な文字データを表示するためには、スクロール等の手法を用いて表示しなくてはならず、ユーザにとって不便である。
【０００９】
他にも、光ディスクに関するテキストデータや画像データを埋め込まれた専用の光ディスクを、専用の装置で再生し、該再生時に各種データを読み出すというシステムが提案されている。しかし、該システムは、各種データが埋め込まれた専用の光ディスクと、各種データを読み出すことが可能な専用の装置が必要となる。そのため、導入コストがかかる、他の既存の光ディスクでは実効性がないといった問題がある。
【発明の開示】
【発明が解決しようとする課題】
【００１０】
そこで上記事情に鑑み、本発明は、複数枚の光ディスクから読み出された情報を保有する装置であって、安価な構成でありながらも、ユーザが現在再生中の情報に対応する光ディスクを簡易かつ正確に把握し、さらには特定の光ディスクに記憶されていた情報をＨＤＤ内から短時間かつ正確に選択することができるような光情報再生装置を提供することを目的とする。
【課題を解決するための手段】
【００１１】
このため、請求項１に記載の光情報再生装置は、光ディスクをローディングし、または排出するローディング機構と、ローディング機構による光ディスクのローディング時に、該光ディスクのレーベル面を画像データとして読み取る読み取り手段と、光ディスクに記録された情報を取得する情報取得手段と、複数の情報を格納する記憶手段と、情報取得手段によって取得した情報と画像データを関連づけて記憶手段に書き込む書き込み手段と、を有することを特徴とする。
【００１２】
請求項１に記載の光情報再生装置によれば、各情報は、光ディスクローディング時に読み取られたレーベル面に関する画像データと関連づけられて記憶手段に記憶される。そして、再生時には、対応する画像データにより、ユーザは、現在再生されているデータがいずれの光ディスクから取得されたものであるかを容易にかつ正確に判断することができる。
【００１３】
さらに、本発明は、外部との通信手段や、独自の規格等を用いることなく必要な情報をユーザに提供する。つまり、本発明に係る光情報再生装置は、既存の構成を維持しつつもレーベル面を読み取り、読み取ったデータを活用するための手段をさらに付加した構成である。そのため、非常に安価かつ簡素な構成で上記の効果を奏することができる。
【００１４】
請求項２に記載の発明は、さらに、記憶手段から読み出した情報を再生する再生手段と、少なくとも再生状態にある情報と関連づけられた画像データを表示する表示手段と、を有することことを特徴とする。本発明によれば、既存の再生手順と同一の操作を実行することにより、表示部には、従来表示されることのない現在再生中のデータに対応する光ディスクの画像が表示される。そのため、ユーザは、現在再生中のデータに対応する光ディスクを簡易かつ正確に把握することができる。
【００１５】
請求項３に記載の光情報再生装置は、再生対象となるデータを選択するための操作手段を有し、表示手段は、操作手段によってデータが選択されている間は、選択されているデータが記憶されていた光ディスクの画像データを表示することを特徴とする。これにより、ユーザは、現在再生中のデータに対応する光ディスク情報だけでなく、操作中に選択したデータに対応する光ディスク情報も容易に把握することができる。ひいては、ユーザは、任意のデータを迅速かつ正確に選択することができる。
【００１６】
別の観点から、請求項４に記載の光情報再生装置は、光ディスクをローディングし、または排出するローディング機構と、ローディング機構による光ディスクのローディング時に、該光ディスクのレーベル面を画像データとして読み取る読み取り手段と、光ディスクに記録された情報を再生する再生手段と、画像データを表示する表示手段と、を有することを特徴とする。
【００１７】
例えば、ローディング機構としては、スロットローディング方式やトレーローディング方式を用いることができる。
【００１８】
また、読み取り手段は、光ディスクの径以上の読み取り範囲を有し、該光ディスクがローディングされる方向と直交する方向に沿って配設されるラインセンサを有することが望ましい。
【００１９】
なお、一般にローディング機構は、光ディスクのローディング動作中に比べてローディング動作開始直後と終了直前の駆動速度が遅いという性質を持つ。そのため、ローディング動作と連動してレーベル面の読み取り動作を実行すると、読み取られた画像データに歪み等が発生してしまう。そこで、光情報再生装置は、ローディング機構における光ディスクのローディング動作の速度変化に起因する画像データの歪みをなくすように補正処理を行う画像処理手段を有することが望ましい（請求項６）。また、別の観点から、画像処理手段は、画像データを光ディスクの形状に基づいて補正処理してもよい。詳しくは、一般的な光ディスクの規格は、直径１２ｃｍの円形状であることが知られている。そこで、読み取られた対象が上記のような円形状であるといった情報を画像処理手段に予め与えておくことにより、画像処理手段は、光ディスクの形状に対応した形状となるように前記画像データを補正処理することもできる（請求項７）。
【発明の効果】
【００２０】
このように本発明に係る光情報再生装置は、ＨＤＤ等の記憶手段に格納する情報を、該情報が書き込まれていた光ディスクのローディング時に読み取ったレーベル面の画像データと関連づけている。そして、情報再生時には、再生対象の情報と関連づけられている画像データを表示部に表示する。これにより、ユーザは、少なくとも現在再生中の情報に対応する光ディスクを容易かつ正確に把握することができる。しかも、本発明に係る光情報再生装置は、既存の構成にレーベル面を読み取るための構成を付加するという安価かつ簡素な構成によって、上記効果を奏することができる。
【発明を実施するための最良の形態】
【００２１】
図１は本発明の実施形態の光情報再生装置１００の概略構成を表す図である。図１（Ａ）は光情報再生装置１００の平面図、図１（Ｂ）は、光情報再生装置１００のａ−ａ線断面図である。光情報再生装置１００は、一対のローラ１、ラインセンサ２、単色板３、光ピックアップモジュール４、回転モータ５を有する。一対のローラ１は、光ディスク（ここでは音楽情報が書き込まれた径１２ｃｍの円形ＣＤを想定する）を装置１００内部にローディングしたり、装置１００内部にあるＣＤを外部に排出したりする。つまり、本実施形態の光情報再生装置１００は、スロットローディング方式を採用している。ラインセンサ２は、少なくとも装置１００にローディングされるＣＤの径よりも長い径を有し、一対のローラ１の長手方向に沿って配設されている。
【００２２】
図２は、実施形態の光情報再生装置１００の情報の格納処理や再生処理に関するブロック図である。光情報再生装置１００は、制御部１０、レーベル読み取り部１１、ローディング部１２、光ピックアップ部１３、ＨＤＤ１４、第一メモリ１５、画像処理部１６、第二メモリ１７、表示部１８、再生部１９、操作部２０を有する。図１に示す一対のローラ１は、ローディング部１２に含まれる。ラインセンサ２、単色板３はレーベル読み取り部１１に含まれる。光ピックアップモジュール４、回転モータ５は、光ピックアップ部１３に含まれる。
【００２３】
以下、複数のＣＤに書き込まれた音楽情報を予めＨＤＤ１４に圧縮して格納しておき、ＨＤＤ１４内にある複数の情報から任意の情報を選択して再生する場合の光情報再生装置１００の動作について詳述する。なお本文では、ＣＤにおけるトラックの一つ一つが音楽情報に対応する。従って、例えばトラック１０まで有するＣＤであれば、音楽情報は１０個存在する。
【００２４】
まず、光ディスクが装置１００内部に存在していない状態で、ユーザによってＣＤがディスク挿入口に当接されたことを検出すると、制御部１０は、ローディング部１２の一対のローラ１を駆動制御する。これにより、ＣＤが装置１００内部にローディングされる。ＣＤが装置１００内部の所定位置までローディングされると、制御部１０は、光ピックアップ部１３を駆動制御し、ＣＤに書き込まれた音楽情報を読み出す。具体的には、制御部１０は、回転モータ５によってＣＤを一定速度で回転制御する。同時に制御部１０は、光ピックアップモジュール４を、ＣＤの回転方向と直交する方向にスライドさせつつ、回転状態にあるＣＤにレーザ光を照射させる。そして、ＣＤからの戻り光を受光することにより、音楽情報を読み出す。
【００２５】
なお、音楽情報を読み出す際、制御部１０は、後述するＨＤＤ１４への格納処理と並行して再生部１９を制御することにより、読み出した音楽情報を直ちに再生することも可能である。
【００２６】
上述した音楽情報の読み出し処理を実行すると同時に、制御部１０は、レーベル読み取り部１１や画像処理部１６を制御してＣＤのレーベル面の画像データを取得する。画像データの取得処理について、以下、詳述する。
【００２７】
制御部１０は、ローディング部１２の一対のローラ１によるＣＤのローディング動作と同時にレーベル読み取り部１１のラインセンサ２を駆動制御して、ＣＤのレーベル面を走査させる。なお単色板３は、ラインセンサ２によって取得される画像データにおいて、レーベル面部分と背景部分とのコントラストを十分に確保するために設けられた白色または黒色の平面板である。
【００２８】
詳しくは、ラインセンサ２は、ＣＤのローディング動作時に周期的にレーベル面を読み取る。すなわち、一回の読み取り動作で得られるデータは、ラインセンサ２の長手方向に歪みのない線状データである。ラインセンサ２の周期的な読み取り動作によって得られる線状データは、順次第一メモリ１５に記憶される。第一メモリ１５は、ＣＤのローディング動作開始時から終了時までに得られる複数の線状データを一時的に保管する。
【００２９】
もし、ＣＤが等速で装置１００内にローディングされるのであれば、レーベル読み取り部１１によって読み取られたレーベル面の画像は、実際のＣＤの形状と同一の略円形状になるはずである。しかし、一般に一対のローラ１を駆動するモータは、駆動直後（つまりＣＤローディング動作開始直後）および停止直前（つまりＣＤローディング動作終了直前）の駆動速度が駆動中の速度よりも低速であることが知られている。そのため、実際に読み取られたレーベル面の画像は、ＣＤの装置１００へのローディング方向に短く歪んだ楕円形状として表れる。そこで、画像処理部１６は、実際のレーベル面の形状と略同一形状の画像が得られるように、複数の線状データを補正する。以下、画像処理部１６の補正処理について説明する。
【００３０】
図３は、制御部１０による制御の下、画像処理部１６が行う処理の流れを示すフローチャートである。また図４は、画像処理部１６が行う処理を説明するための図である。図４において、Ｘ方向は一対のローラ１およびラインセンサ２の長手方向に対応する方向である。また、Ｙ方向はＸ方向と直交する方向であって、最大径Ｌｍａｘのレーベル面領域を基準として、該レーベル面領域よりも先に読み込まれた画像データが正の値を、該レーベル面領域よりも後に読み込まれた画像データが負の値をとる。
【００３１】
まず、画像処理部１６は、第一メモリ１５から線状データを順次読み出す（Ｓ１）。次いで、読み出した線状データからレーベル面領域のみを抽出する（Ｓ３）。上記の通り本実施形態では、単色板３を配したことにより、背景領域とレーベル領域とのコントラストを十分に確保することができる。そのため、Ｓ２の抽出処理は高精度に実行される。なお、レーベル面領域のみが抽出された線状データは画像処理部１６内の図示しないＲＡＭに一時保管される。
【００３２】
全ての線状データにおけるレーベル面領域を抽出すると、画像処理部１６は次いで、複数の線状データからレーベル面領域の最大径Ｌｍａｘを検出する（Ｓ５）。
【００３３】
画像処理部１６は、Ｓ５の処理が終了すると、最大径Ｌｍａｘのレーベル面領域を基準として、Ｌｍａｘを直径とした仮想円を設定する（Ｓ７）。次いで、画像処理部１６は、レーベル面領域のみが抽出された各線状データを該仮想円上にマッピングする（Ｓ９）。ここで、線状データはラインセンサによって取得されているため、該線状データにおけるレーベル面径方向（つまりＸ方向）は、歪みが存在しない。そこで、画像処理部１６は、最大径Ｌｍａｘのレーベル面領域のＹ座標を±０としたときに、長さＬ（ｎ）のレーベル面領域がとるＹ座標Ｙ（ｎ）を以下の式によって算出する。なお、以下に示す式において、長さＬ（ｎ）のレーベル面領域が、最大径Ｌｍａｘのレーベル面領域よりも先に読み込まれたものである場合には、Ｙ（ｎ）は正の値を採り、後に読み込まれたものである場合には、Ｙ（ｎ）は負の値を採る。Ｙ（ｎ）が求まると、画像処理部１６は、Ｓ７で設定した仮想円上におけるＹ座標Ｙ（ｎ）上に、長さＬ（ｎ）のレーベル面領域がＸ方向に沿うようにマッピングする。
【数１】
2005285246.tif 000003
【００３４】
全ての線状データのマッピングが終了した段階では、Ｙ座標の絶対値が大きくなるにつれてデータ量が密の状態になっている。そこで、画像処理部１６は、マッピングされた各データにおける疎の部分を周囲のデータを用いて線形補間等の周知の方法により補間する（Ｓ１１）。本実施形態では、次のステップでサンプリングに必要な画素数の最大４倍（Ｘ、Ｙの各方向に２倍）のデータ量を有するように補間する。そして、予め定められた分解能でサンプリングし、単一の画像データとする（Ｓ１３）。表示される画像がユーザにとってより把握しやすい状態になるように、該画像データは、適宜回転処理等の位置調整がなされる。そして画像処理部１６は、画像データを第二メモリ１７に書き込んで一連の画像データに関する処理を終了する。
【００３５】
制御部１０は、光ピックアップ部１３によってＣＤから読み出された音楽情報と、第二メモリ１７に記憶されている画像データとを関連づけた状態で、ＨＤＤ１４に格納する。例えば、画像データを識別するＩＤを付して、該ＩＤと各音楽情報を関連づける。引き続き、ユーザによってＣＤが差し替えられると、上記と同様の処理が行われ、新たに読み出された複数の音楽情報と差し替え後のＣＤのレーベル面に関する画像データとが相互に関連づけられてＨＤＤ１４に格納される。
【００３６】
上記のようにしてＨＤＤ１４に格納された音楽情報を再生する時には、制御部１０は、再生対象となる音楽情報をＨＤＤ１４から読み出して再生部１９を制御すると同時に、当該再生対象となる音楽情報に関連づけられて格納されている画像データを読み出し、表示部１８に表示させる。これにより、ユーザは現在再生されている音楽情報がいずれのＣＤから読み出したものであるかを容易かつ迅速に把握することができる。
【００３７】
なお、ユーザが操作部２０を操作して、ＨＤＤ１４内にある音楽情報を選択している間は、再生中の音楽情報に対応するレーベル面の画像ではなく、選択中の音楽情報に対応するレーベル面の画像が表示部１８に表示される。これにより、ユーザは視覚的に現在の選択中の音楽情報に対応するＣＤを把握でき、迅速に所望の音楽情報を選択、再生することが可能になる。
【００３８】
以上が、複数のＣＤに書き込まれた情報を予めＨＤＤ１４に圧縮して格納しておき、複数の情報から任意の情報を選択して再生する場合の光情報再生装置１００の動作の説明である。
【００３９】
なお、本実施形態の光情報再生装置１００は、ＨＤＤ１４に格納された音楽情報を再生するだけではなく、外部からローディングされたＣＤに書き込まれた情報を、ＨＤＤ１４に保存することなく、該ＣＤから直接読み出して再生することも可能である。この場合、制御部１０は第二メモリ１７に記憶された画像データをそのまま表示部１８に表示させる。
【００４０】
また、上記実施形態によれば、特定のＣＤに書き込まれた音楽情報それぞれに画像データが関連づけられている。従って、ユーザがＨＤＤ１４内にある任意の音楽情報を複数選択して単一のフォルダにまとめたような場合であっても、各音楽情報に対応したレーベル面の画像が表示部１８に表示される。
【００４１】
以上が本発明の実施形態である。本発明に係る光情報再生装置は、上記実施形態に限定されるものではなく、以下に例示するような変形を行っても上記と同様の効果を奏することができる。
【００４２】
上記実施形態では、ＣＤを使用する光ディスクとして想定しているが、本発明に係る光情報再生装置は、これに限定されるものではなく、他の光ディスクであっても使用することができる。従って、ＨＤＤに格納される情報も音楽情報だけではなく、映像情報も格納することができる。
【００４３】
また、ローディング部を改良することにより、光ディスクの装置内へのローディング速度を略等速制御することが可能であるならば、上述したような画像処理部における補正処理は不要または簡易になる。つまり、画像処理部は生成された線状データを順次取り込むことにより略円形状のレーベル面に関する画像データに変換することができる。
【００４４】
また、上記実施形態では、ローディング部１２はスロットローディング方式を採用しているが、例えばトレーローディング方式を採用することもできる。トレーローディング方式のローディング部を採用する場合、トレーの載置面と平行な面内であってトレーのスライド方向と直交する方向に長手方向が沿うようにラインセンサを配設することにより、上記実施形態と同様の効果を得ることができる。トレーローディング方式を採用した場合、トレー自体が単色板の代替になるため部品点数の削減が実現される利点や、スロットローディング方式に比べ、比較的等速での制御が可能になるため、上述したように画像処理の負担が軽減できる利点が得られる。
【００４５】
また、ラインセンサ等のレーベル面読み取り部は、図１（Ａ）、（Ｂ）によれば、一対のローラ１よりも外側（ユーザ側）に配設されているが、レーベル面全面を走査して読み込むことが可能であるならば、上記位置に限定されるものではない。例えば、図１（Ａ）、（Ｂ）において、一対のローラ１よりも内側（回転モータ５側）に配設することも可能である。
【００４６】
さらに、本発明に係る光情報再生装置は、ＨＤＤ内に格納された各情報に関連づけられた画像データを一覧表示することも可能である。これにより、ユーザは、ＨＤＤ内に格納されている情報を視覚的に把握できる。よって、光ディスク単位でのプログラム再生や、ＨＤＤ内での各情報の並べ替えといった編集や、光ディスク単位での各情報の削除等における選択操作を容易に実行することができる。
【００４７】
また、上記実施形態では、レーベル面に関する画像データは、光ディスク（ＣＤ）から読み出された情報それぞれに関連づけられていると説明した。本発明によれば、該画像データは、特定の光ディスクから読み出された情報が格納されるフォルダに関連づけることも可能である。
【図面の簡単な説明】
【００４８】
【図１】本発明の実施形態の光情報再生装置の概略構成を表す図である。
【図２】実施形態の光情報再生装置の情報の保管処理や再生処理に関するブロック図である。
【図３】実施形態の画像処理部が行う処理の流れを示すフローチャートである。
【図４】実施形態の画像処理部が行う処理を説明するための図である。
【符号の説明】
【００４９】
１０  制御部
１１  レーベル読み取り部
１２  ローディング部
１３  光ピックアップ部
１４  ＨＤＤ
１６  画像処理部
１００  光情報再生装置
【図１】
2005285246.tif 000004
【図２】
2005285246.tif 000005
【図３】
2005285246.tif 000006
【図４】
2005285246.tif 000007